(57)【要約】【課題】  印刷不可能なファイルが添付されたメールを受けた場合にもその画像を確保することができる画像印刷装置を提供する。【解決手段】  メールを受信すると、添付されているファイルが印刷可能であるかどうかの判断を行い、印刷可能な場合は添付ファイルの印刷処理を行う。印刷不可なファイルであった場合は予め登録してある宛先に対してメールの転送を行うようにした（Ｓ１０１〜Ｓ１０４）。【選択図】        図２
2006228007.tif 000002
【特許請求の範囲】
【請求項１】
メール受信手段により受信したメールに添付されているファイルを印刷することができる画像印刷装置において、前記メール受信手段により受信したメールに添付されているファイルが印刷できないフォーマットの場合、前記ファイルを予め設定されているメールアドレスに転送するように制御する制御手段を備えたことを特徴とする画像印刷装置。
【請求項２】
請求項１記載の画像印刷装置において、前記制御手段は前記メール受信手段により受信したメールに添付されているファイルが印刷できないフォーマットの場合、受信したメールに含まれるアドレスが事前に登録してあるアドレスと一致したときに前記メールを予め設定されているメールアドレスに転送することを特徴とする画像印刷装置。
【請求項３】
請求項２記載の画像印刷装置において、前記制御手段は前記メール受信手段により受信したメールに添付されているファイルが印刷できないフォーマットで、且つ、受信したメールに含まれるアドレスが事前に登録していないアドレスだった場合に、前記添付ファイルを削除したメールを予め登録してあるメールアドレスへ転送することを特徴とする画像印刷装置。
【発明の詳細な説明】
【技術分野】
【０００１】
本発明は、メールを受信し、受信したメールに添付されているファイルを印刷することが可能な画像印刷装置に関する。
【背景技術】
【０００２】
メールを受信し、受信したメールに添付されているファイルを印刷することが可能な画像印刷装置が普及している。メール受信機能を有する画像印刷装置に関連する先行文献としては、例えば特許文献１、２がある。
【特許文献１】特開２００３−１７７８９４公報
【特許文献２】特開平１１−１７７７５２号公報
【発明の開示】
【発明が解決しようとする課題】
【０００３】
ところで、上記したようなメール受信機能を有する画像印刷装置においては、文書ファイルを受信して印刷するのが一般的であるが、メールには様々なファイルを添付し、送信することが可能であり、印刷できないファイルが添付される場合もある。
そこで、本発明は印刷不可能なファイルが添付されたメールを受けた場合にもその画像を確保することができる画像印刷装置を提供することを目的とする。
【課題を解決するための手段】
【０００４】
上記目的を達成するために、請求項１記載の発明は、メール受信手段により受信したメールに添付されているファイルを印刷することができる画像印刷装置において、前記メール受信手段により受信したメールに添付されているファイルが印刷できないフォーマットの場合、前記ファイルを予め設定されているメールアドレスに転送するように制御する制御手段を備えたことを特徴とする。
請求項２記載の発明は、請求項１記載の画像印刷装置において、前記制御手段は前記メール受信手段により受信したメールに添付されているファイルが印刷できないフォーマットの場合、受信したメールに含まれるアドレスが事前に登録してあるアドレスと一致したときに前記メールを予め設定されているメールアドレスに転送することを特徴とする。
請求項３記載の発明は、請求項２記載の画像印刷装置において、前記制御手段は前記メール受信手段により受信したメールに添付されているファイルが印刷できないフォーマットで、且つ、受信したメールに含まれるアドレスが事前に登録していないアドレスだった場合に、前記添付ファイルを削除したメールを予め登録してあるメールアドレスへ転送することを特徴とする。
【発明の効果】
【０００５】
本発明によれば、添付されているファイルが印刷できないフォーマットの場合、予め設定されているメールアドレスへ転送することにより、他の機器により印刷出力するといったことが可能になる。
また、添付されているファイルが印刷できないフォーマットの場合、受信したメールに含まれるアドレスが、事前に登録してあるアドレスと一致した場合に、予め登録してあるメールアドレスへ当該メールを転送することにより、必要な宛先から受けた印刷できないファイルを他の機器により印刷出力することができる。
また、添付されているファイルが印刷できないフォーマットで、且つ、受信したメールに含まれるアドレスが事前に登録していないアドレスだった場合に、添付ファイルを削除したメールを予め登録してあるメールアドレスへ転送することにより、登録されていない宛先から印刷できないファイルが添付されたメール受信があったことを知ることができる。
【発明を実施するための最良の形態】
【０００６】
以下、添付図面を参照しながら本発明の実施形態を詳細に説明する。
図１は本発明の実施形態に係る画像印刷装置のブロック構成図である。
この図１においてスキャナ１は原稿画像を読み取って読み取り画情報として出力する。プロッタ２は画データ像を記録紙に記録（印刷）する。
符号化復号化部３は、ＭＨ方式などの既知の符号化方式により、送信する画情報を符号化しデータ圧縮を行う一方、受信した画情報を復号化して元の画情報を再生する。メール受信部４は、ネットワークを介してメールを受信する処理を行う。ネットワークＩ／Ｆ５は、ネットワークと接続し、ネットワークに対しデータを送受信する。
操作表示部６は、装置の動作状態を表示する一方、オペレータが各種操作を行う。システム制御部（制御手段）７は、上記各部を制御するマイクロコンピュータである。システムバス８は、上記各部が相互間で各種制御信号やデータをやり取りする信号ラインである。
以下、本実施形態の画像印刷装置の動作を図２〜図４のフローチャートに沿って説明する。
オペレータは予め機器に対し、印刷不可なファイルが添付されているメールを受信した場合に、転送する転送先のメールアドレスを登録しておく。登録されるべきメールアドレスとしては、例えば機器を管理している管理者等のメールアドレスがある。
【０００７】
以降、フローチャートを用いて本発明の制御動作を説明する。
図２は本実施形態の画像印刷装置における第１の処理動作を示すフローチャートである。この場合、メールを受信すると（Ｓ１０１でＹ）、添付されているファイルが印刷可能であるかどうかの判断を行う（Ｓ１０２）。印刷可能な場合（Ｓ１０２でＹ）、添付ファイルの印刷処理を行う（Ｓ１０３）。印刷不可なファイルであった場合（Ｓ１０２でＮ）、予め登録してある宛先に対してメールの転送を行う（Ｓ１０４）。
以上のように、受信したメールの添付ファイルが印刷可能であった場合、添付ファイルの印刷処理を行い、印刷不可な場合はメール転送を行うことで、添付されているファイルが印刷できないフォーマットの場合、予め設定されているメールアドレスへ転送することにより、他の機器により印刷出力するといったことが可能になる。
図３は本実施形態の画像印刷装置における第２の処理動作を示すフローチャートである。この場合もメールを受信すると（Ｓ２０１でＹ）、添付されているファイルが印刷可能であるかどうかの判断を行う（Ｓ２０２）。印刷可能な場合（Ｓ２０２でＹ）、添付ファイルの印刷処理を行う（Ｓ２０３）。
印刷不可なファイルであった場合（Ｓ２０２でＮ）、受信したメールの差出人（Ｆｒｏｍ）に入っているアドレスが登録されているものかの判断を行う（Ｓ２０４）。予め登録されている場合（Ｓ２０４でＹ）、予め登録してある宛先に対してメールの転送を行う（Ｓ２０５）。受信したメールのＦｒｏｍに入っているアドレスが予め登録されていない場合（Ｓ２０４でＮ）、メールの転送は行わない。
以上のように、受信したメールの添付ファイルが印刷可能であった場合、添付ファイルの印刷処理を行い、印刷不可な場合に送り先が予め登録されているものであるときはメール転送を行う。これにより、予め登録してある宛先からのメールは転送され、必要な宛先から受けた印刷できないファイルを他の機器により印刷出力することができる。
【０００８】
図４は本実施形態の画像印刷装置における第３の処理動作を示すフローチャートである。この場合もメールを受信すると（Ｓ３０１でＹ）、添付されているファイルが印刷可能であるかどうかの判断を行う（Ｓ３０２）。印刷可能な場合（Ｓ３０２でＹ）、添付ファイルの印刷処理を行う（Ｓ３０３）。
印刷不可なファイルであった場合（Ｓ３０２でＮ）、受信したメールのＦｒｏｍに入っているアドレスが登録されているものかの判断を行う（Ｓ３０４）。予め登録されている場合（Ｓ３０４のＹ）、予め登録してある宛先に対してメールの転送を行う（Ｓ３０５）。受信したメールのＦｒｏｍに入っているアドレスが予め登録されていない場合（Ｓ３０４でＮ）、添付ファイルの削除を行い（Ｓ３０６）、予め登録されている宛先へメール転送を行う。
以上のように、受信したメールの添付ファイルが印刷可能であった場合、添付ファイルの印刷処理を行い、添付されているファイルが印刷できないフォーマットで、且つ、受信したメールに含まれるアドレスが事前に登録していないアドレスだった場合に、添付ファイルを削除したメールを予め登録してあるメールアドレスへ転送することにより、登録されていない宛先から印刷できないファイルが添付されたメール受信があったことを知らせることができる。
【図面の簡単な説明】
【０００９】
【図１】本発明の実施形態に係る画像印刷装置のブロック構成図。
【図２】本発明の画像印刷装置における第１の処理動作を示すフローチャート。
【図３】本発明の画像印刷装置における第２の処理動作を示すフローチャート。
【図４】本発明の画像印刷装置における第３の処理動作を示すフローチャート。
【符号の説明】
【００１０】
１  スキャナ、２  プロッタ、３  符号化復号化部、４  メール受信部、５  ネットワークＩ／Ｆ、６  操作表示部、７  システム制御部、８  システムバス
【図１】
2006228007.tif 000003
【図２】
2006228007.tif 000004
【図３】
2006228007.tif 000005
【図４】
2006228007.tif 000006